(57)【要約】【課題】小型メモリカードをそれよりも大型のメモリカード用のカードコネクタで使えるようにするメモリカード用アダプタにおいて、アダプタ本体の構成部品の一つである導電性の（金属製の）カバーに一体に形成した接続端子とグランド用コンタクトとの接触が断たれ、アダプタの静電破壊防止機能が消失する虞がある。【解決手段】アダプタ本体１の構成部品の一つである導電性の（金属製の）カバー３０に、弾性変位可能な接続端子３７を一体に形成し、その接続端子３７を複数のグランド用コンタクト６０ｄ，ｉに接触させ、そのグランド用コンタクト６０ｄ，ｉ同士と、グランド用コンタクト６０ｄ，ｉとカバー３０間を電気的に接続し、高い接触信頼性を確保し、静電破壊防止機能を確実に維持する。【選択図】  図８
2007041935.tif 000002
【特許請求の範囲】
【請求項１】
小型メモリカードをそれよりも大型のメモリカード用のカードコネクタで使えるようにするメモリカード用アダプタにおいて、大型のメモリカード仕様に対応する外形寸法に形成されて複数のコンタクトを内蔵した小型メモリカードを装着する大型のメモリカード型のアダプタ本体を備え、そのアダプタ本体を絶縁性のベースとで構成する導電性のカバーに、弾性変位可能な接続端子を一体に形成し、その接続端子を複数のグランド用コンタクトに接触させ、そのグランド用コンタクト同士と、グランド用コンタクトとカバー間を電気的に接続したことを特徴とするメモリカード用アダプタ。
【請求項２】
カバーに、アダプタ本体の挿抜方向に沿う外側面に位置する第１延設部を一体に形成した請求項１記載のメモリカード用アダプタ。
【請求項３】
カバーに、複数のコンタクトのアダプタ本体から露出させる部分と対向する位置に端部を延設する第２延設部を一体に形成し、第２延設部の端部に折り返し片を一体に形成し、その折り返し片の端部に接続端子を一体に形成し、第２延設部の内面側に接続端子を設けた請求項１又は２記載のメモリカード用アダプタ。
【請求項４】
接続端子を、折り返し片の端部から複数のコンタクトの並設方向に延設形成した請求項３記載のメモリカード用アダプタ。
【請求項５】
複数のコンタクトを絶縁状態で保持するインシュレータを、第２延設部とベースとの間に挟み、そのインシュレータに形成された収容孔の内部に折り返し部と接続端子を配設した請求項３又は４記載のメモリカード用アダプタ。
【発明の詳細な説明】
【技術分野】
【０００１】
本発明は、小型メモリカードをそれよりも大型のメモリカード用のカードコネクタで使えるようにするメモリカード用アダプタに関する。
【背景技術】
【０００２】
従来よりＳＤカード（２４×３２×２.１mm：縦×横×厚さ）の小型版メモリカードとして、図９（Ａ）（Ｂ）（Ｃ）に示すようなミニＳＤカード（２０×２１.５×１.４mm：縦×横×厚さ）２００が提供されている。
【０００３】
図９（Ａ）（Ｂ）（Ｃ）において、ミニＳＤカード２００の正規挿入姿勢での挿入時の前側（以下、「後側」という）の端部裏面側には１１本のコンタクト２０４ａ〜ｋが前後方向と厚さ方向に直交する方向（以下、「左右方向」という）に並設されている。またミニＳＤカード２００の後側には一方の角を落として切り欠き部２０１が形成されていると共に、この切り欠き部２０１によって幅が狭められたミニＳＤカード２００の後側端部における表面側の左右両側縁には上向きの段部２０２が設けられており、これら切り欠き部２０１と段部２０２とでカードコネクタに対するミニＳＤカード２００の正規挿入姿勢以外での誤挿入（前後が逆の姿勢、表裏が逆の姿勢での挿入）を防止している。さらにミニＳＤカード２００の切り欠き部２０２より前側の幅広部分における表面側の左右両側部にはロック用切り欠き２０３が設けられ、ミニＳＤカード２００をカードコネクタに装着した際にカードコネクタ側のロック部材がロック用切り欠き２０３に係止することによって、ミニＳＤカード２００の脱落を防止するようになっている。なお、ミニＳＤカード２００の１１本のコンタクト２０４ａ〜ｋは、裏面側から見て左から右に１〜１１番のコンタクト２０４ａ〜ｋが順番に配置されており、１，２，１０，１１番の４本のコンタクト２０４ａ，ｂ，ｊ，ｋがデータ用、３番のコンタクト２０４ｃがコマンド用、４，９番の２本のコンタクト２０４ｄ，ｉがグランド用、７番のコンタクト２０４ｇが電源用、８番のコンタクト２０４ｈがクロック用である。そして、５，６番の２本のコンタクト２０４ｅ，ｆはミニＳＤカード２００で予備に追加されたもので、有効コンタクト数は９本となりＳＤカードのコンタクト数９本に対応している。
【０００４】
ところで、最近、ミニＳＤカード２００よりさらに小型版メモリカードとして、トランスフラッシュやこの仕様を採用した図１０（Ａ）（Ｂ）（Ｃ）に示すようなマイクロＳＤカード（１１×１５×１mm：縦×横×厚さ）３００が提供されている。
【０００５】
図１０（Ａ）（Ｂ）（Ｃ）において、マイクロＳＤカード３００の後側には一方の角を落として切り欠き部３０１が形成されている。またマイクロＳＤカード３００の切り欠き部３０１より前側の幅広部分における切り欠き部３０１側の一側部にはロック用切り欠き３０２が設けられている。さらにマイクロＳＤカード３００の後側の端部裏面側には８本のコンタクト３０３ａ〜ｈが左右方向に並設されている。なお、マイクロＳＤカード３００の８本のコンタクト３０３ａ〜ｈは、裏面側から見て左から右に１〜８番のコンタクト３０３ａ〜ｈが順番に配置されており、１，２，７，８番の４本のコンタクト３０３ａ，ｂ，ｇ，ｈがデータ用、３番のコンタクト３０３ｃがコマンド用、４番のコンタクト３０３ｄが電源用、５番のコンタクト３０３ｅがクロック用、６番のコンタクト３０３ｆがグランド用である。つまり、マイクロＳＤカード３００でグランド用コンタクトが１本になり、コンタクト数がＳＤカード及びミニＳＤカード２００の９本（ただし、ミニＳＤカード２００は有効コンタクト数）から８本に削減されている。
【０００６】
このようにマイクロＳＤカード３００は従来のミニＳＤカード２００に比べて外形寸法がさらに一回り小さく、またコンタクト数も少ないので、従来のミニＳＤカード用のカードコネクタで使うためには、そのためのメモリカード用アダプタが必要となる。そして、この種メモリカードアダプタが、例えば特許文献１に開示されている。
【０００７】
マイクロＳＤカードをミニＳＤカード用のカードコネクタで使えるようにする従来のメモリカード用アダプタは、ミニＳＤカード仕様に対応する外形寸法に形成されてマイクロＳＤカードを装着するミニＳＤカード型のアダプタ本体を備え、そのアダプタ本体の内部に、カードコネクタの１１本のコンタクトと電気的に接続するための１１本の固定端子とマイクロＳＤカードの８本のコンタクトと電気的に接続するための８本の可動端子とを別々に設け、８本の可動端子をアダプタ本体の内部に設けた回路基板を介してそれぞれ対応する８本の固定端子に電気的に接続し、また２本のグランド用固定端子同士を電気的に接続した構成とされていた。
【０００８】
このように、従来のメモリカード用アダプタは、回路基板を内蔵し、大型メモリカード用のカードコネクタと接続する端子と、小型メモリカードと接続する端子の２種の端子を含んでいたので、部品点数が多く、構造的に複雑になり、製造コストも高くなるという問題があった。またアダプタ本体の内部における前端から後端にわたって回路基板が存在するので、アダプタ本体の構成部品に金属製のものを使用することができず、静電破壊防止対策を講じることができないという問題もあった。
【０００９】
なお、メモリカード用アダプタにおいて、アダプタ本体の構成部品の一つを金属で構成し、その金属部品を、アダプタ本体に内蔵の複数のグランド用コンタクトに電気的に接続し静電破壊防止対策を講じる技術が、例えば特許文献２に開示されている。この従来周知の技術を採用すれば、従来のメモリカード用アダプタのように、回路基板を内蔵し、大型メモリカード用のカードコネクタと接続する端子と、小型メモリカードと接続する端子の２種の端子を別々に設ける必要がないので、部品点数が少なく、構造的に簡単になり、製造コストも安くすることができる。
【特許文献１】実用新案登録第３１１０８３９号公報
【特許文献２】特開２００４−２７２７０４号公報
【発明の開示】
【発明が解決しようとする課題】
【００１０】
本発明が解決しようとする課題は、静電破壊防止機能を持つ従来のメモリカード用アダプタが、アダプタ本体を、樹脂製のベースと、一部に開口部が形成され、ベースに被着される樹脂製のカバーと、カバーの開口部に取着される金属シェル（金属部品）とで構成しているため、金属シェルを複数のグランド用コンタクトに電気的に接続するために金属シェルに一体に形成する接続端子は、金属シェルからカバーの内面に沿ってグランド用コンタクトまで、グランド用コンタクト以外のコンタクトと接触しないように、グランド用コンタクト幅内で細く突出し、グランド用コンタクトとカバーとの間に挟み込むことで、グランド用コンタクトに接触しているが、アダプタの構成部品自体の寸法誤差や組立ての寸法誤差、使用時にアダプタに加えられる外力や熱による変形により、接続端子とグランド用コンタクトとの接触が断たれる虞があり、この場合、アダプタの静電破壊防止機能は消失する点にある。
【課題を解決するための手段】
【００１１】
上記課題を解決するために、請求項１記載の発明は、小型メモリカードをそれよりも大型のメモリカード用のカードコネクタで使えるようにするメモリカード用アダプタにおいて、大型のメモリカード仕様に対応する外形寸法に形成されて複数のコンタクトを内蔵した小型メモリカードを装着する大型のメモリカード型のアダプタ本体を備え、そのアダプタ本体を絶縁性のベースとで構成する導電性のカバーに、弾性変位可能な接続端子を一体に形成し、その接続端子を複数のグランド用コンタクトに接触させ、そのグランド用コンタクト同士と、グランド用コンタクトとカバー間を電気的に接続したことを特徴とする。
【００１２】
請求項２記載の発明は、請求項１記載の発明に、カバーに、アダプタ本体の挿抜方向に沿う外側面に位置する第１延設部を一体に形成した点を付加したものである。
【００１３】
請求項３記載の発明は、請求項１又は２記載の発明に、カバーに、複数のコンタクトのアダプタ本体から露出させる部分と対向する位置に端部を延設する第２延設部を一体に形成し、第２延設部の端部に折り返し片を一体に形成し、その折り返し片の端部に接続端子を一体に形成し、第２延設部の内面側に接続端子を設けた点を付加したものである。
【００１４】
請求項４記載の発明は、請求項３記載の発明に、接続端子を、折り返し片の端部から複数のコンタクトの並設方向に延設形成した点を付加したものである。
【００１５】
請求項５記載の発明は、請求項３又は４記載の発明に、複数のコンタクトを絶縁状態で保持するインシュレータを、第２延設部とベースとの間に挟み、そのインシュレータに形成された収容孔の内部に折り返し部と接続端子を配設した点を付加したものである。
【発明の効果】
【００１６】
請求項１記載の発明によれば、アダプタ本体の構成部品の一つである導電性の（金属製の）カバーに、弾性変位可能な接続端子を一体に形成し、その接続端子を複数のグランド用コンタクトに接触させ、そのグランド用コンタクト同士と、グランド用コンタクトとカバー間を電気的に接続したので、アダプタ内に浮遊グランドとなるグランド用コンタクトをなくすことができると共に、アダプタに静電破壊防止機能を持たせることができる。しかも、接続端子は、それ自体が持つ弾性によってグランド用コンタクトと接触するので、アダプタの構成部品自体の寸法誤差や組立ての寸法誤差、使用時にアダプタに加えられる外力や熱による変形が生じても、それを吸収しながらグランド用コンタクトとの接触を自己保持することができて、高い接触信頼性を確保することができる。よって、アダプタの静電破壊防止機能を確実に維持することができる。
【００１７】
請求項２記載の発明によれば、カバーに、アダプタ本体の挿抜方向に沿う外側面に位置する第１延設部を一体に形成したことで、アダプタ使用時にアダプタ本体が上下、左右どのような方向から把持されても、アダプタ本体のカバー部分が把持されることになるので、アダプタ本体の把持状態に関係なく確実に機能する静電破壊防止機能を持たせることができる。
【００１８】
請求項３記載の発明によれば、カバーに、複数のコンタクトのアダプタ本体から露出させる部分と対向する位置に端部を延設する第２延設部を一体に形成し、第２延設部の端部に折り返し片を一体に形成し、その折り返し片の端部に接続端子を一体に形成し、第２延設部の内面側に接続端子を設けたことで、接続端子は、カバーの外側には突出せず、アダプタ組立て時に接続端子が折れ損する危険性が少なくなる。また、複数のコンタクトのアダプタ本体から露出させる部分には、厚さをあまり薄くすることができない絶縁性の（樹脂製の）カバーではなく、厚さを薄くできる導電性の（金属製の）カバーの第２延設部が対向し、これらの間に形成される隙間に折り返し片を介して接続端子が配設されるので、接続端子のアダプタ厚さ方向の弾性変位量をより大きくとることができ、それに伴い接続端子の弾性（グランド用コンタクトとの接触圧）もより大きくすることができ、接続端子のより高い接触信頼性を確保することができる。さらに、接続端子は、カバーの第２延設部を部分的に切り起し、その第２延設部に孔をあけたりすることなく、第２延設部の端部に一体に形成した折り返し片を介して第２延設部の内面側に設けるので、防塵・防水の点でも有効である。
【００１９】
請求項４記載の発明によれば、接続端子を、折り返し片の端部から複数のコンタクトの並設方向に延設形成したことで、接続端子の幅方向がコンタクトの長さ方向に対応し、接続端子の幅寸法をコンタクトの幅寸法より大きくとることができ、また折り返し片の幅寸法もコンタクトの幅寸法より大きくとることができるので、アダプタ組立て時に接続端子が折れ損する危険性をより少なくすることができる。また、接続端子の幅寸法をコンタクトの幅寸法より大きくとることができることで、グランド用コンタクトとの接触面積の拡大に伴い安定確実な接触性を確保することができ、接続端子のより高い接触信頼性を確保することができる。
【００２０】
請求項５記載の発明によれば、複数のコンタクトを絶縁状態で保持するインシュレータを、第２延設部とベースとの間に挟み、そのインシュレータに形成された収容孔の内部に折り返し部と接続端子を配設したことで、アダプタ使用時にアダプタ本体に厚さ方向の圧縮荷重が加えられたとしても、インシュレータがスペーサの役目を果たすので、折り返し部及び接続端子が前記圧縮荷重により押し潰されて塑性変形することはなく、接続端子の機能を確実に維持発揮させることができる。
【発明を実施するための最良の形態】
【００２１】
以下、本発明に係るメモリカード用アダプタの実施形態を図１〜８を参照して説明する。本実施形態のメモリカード用アダプタ１００は、小型メモリカードであるマイクロＳＤカード３００を装着してそれより大型のメモリカード用のカードコネクタであるミニＳＤカード２００用のカードコネクタで使えるようにするもので、ミニＳＤカード仕様に対応すべくミニＳＤカード２００と略同じ外形寸法（縦・横・厚さの各寸法）に形成されてマイクロＳＤカード３００を装着する図１，図２に示したようなミニＳＤカード型のアダプタ本体１と、アダプタ本体１に内蔵する図３，図４，図７（Ａ）（Ｂ）に示したようなコンタクトセット５０、図３，図４に示したようなロック部材９０とで構成される。
【００２２】
図１，図２に示したアダプタ本体１は、図３，図４，図５（Ａ）（Ｂ）に示したような合成樹脂材料からなる絶縁性のベース１０と、図４，図６（Ａ）（Ｂ）に示したような金属板からなる導電性のカバー３０の２つの部品で構成される。
【００２３】
図３，図４，図５（Ａ）（Ｂ）に示したベース１０は、後側の一方の角を落とした略矩形状の底板１１と、角落としによって横幅が狭められていない底板１１の前側の幅広部分における左右両側域に縦横に立設した補強リブ１２と、角落としによって横幅が狭められた底板１１の後側の周縁に沿って立設した側壁１３とを一体に有し、補強リブ１２の間にマイクロＳＤカード３００を収容するカード収容空間１４を画成すると共に、カード収容空間１４の後側に連続してコンタクトセット５０のインシュレータ収容空間１５を画成している。インシュレータ収容空間１５の底面には大きなコンタクト露出窓１６が開口形成されている。カード収容空間１４の一側にはロック部材収容空間１７が隣接して画成され、ロック部材収容空間１７は連通口１８を介してカード収容空間１４と連通されている。
【００２４】
そして、前記ベース１０には、ミニＳＤカード２００の切り欠き部２０１、段部２０２、ロック用切り欠き２０３に対応するアダプタ１００側の切り欠き部１９、段部２０、ロック用切り欠き２１がそれぞれ設けられている。また前記ベース１０の幅広部分における左右外側面には複数のカバー係合爪２２が設けられると共に、前記ベース１０の幅広部分における左右内側部にはカバー係合溝２３が設けられている。
【００２５】
図４，６（Ａ）（Ｂ）に示したカバー３０は、前記ベース１０の前側幅広部分における上面を覆う矩形状の主部３１と、主部３１の左右側縁から下向きに延設して前記ベース１０の前側幅広部分における左右外側面を覆う第１延設部３２と、主部３１の後側縁から後側に面一に延設して前記ベース１０のインシュレータ収容空間１５の上面を覆う主部３１より幅狭の第２延設部３３と、第２延設部３３の基部の左右両側縁から下向きに延設する第１係合爪３４と、第２延設部３３の先端の側縁における左右側部から下向きに延設する第２係合爪３５と、第２延設部３３の先端の側縁における略中央部からＵ字状に延設して端部を第２延設部３３の内面側に臨ませる折り返し片３６と、折り返し片３６の端部に中間部を連設して第２延設部３３の内面側で左右方向（コンタクト並設方向）に延設する板バネである弾性変位可能な接続端子３７とを一体に形成している。第１延設部３２には複数のベース係合孔３８が設けられている。
【００２６】
図３，図４，図７（Ａ）（Ｂ）に示したコンタクトセット５０は、ミニＳＤカード仕様に対応すべくミニＳＤカード２００と同じ１１本のコンタクト６０ａ〜ｋと、これら１１本のコンタクト６０ａ〜ｋを絶縁状態で左右方向に並設して一体に保持する合成樹脂材料からなる絶縁性のインシュレータ７０とで構成される。
【００２７】
１１本のコンタクト６０ａ〜ｋは、図７（Ｃ）に示すように、導電性の薄板金属を打ち抜き加工することによって、キャリア６１に連結片６２を介して連続した状態で成形される。そして、この状態の１１本のコンタクト６０ａ〜ｋに対してインシュレータ７０をインサート成形で成形した後、連結片６２の部分を切断してキャリア６１と共に分離することによって、コンタクトセット５０の中間組立て体が構成される。
【００２８】
１１本の各コンタクト６０ａ〜ｋはそれぞれ矩形板状に形成されており、各コンタクト６０ａ〜ｋの前端には相互に連結された連続部６３を介してマイクロＳＤカード仕様に対応すべくマイクロＳＤカード３００と同じ８本のコンタクトバネ片６４ａ〜ｈが片持ち梁状に延ばされている。そして、１１本のコンタクト６０ａ〜ｋは、裏面側から見て左から右に１〜１１番のコンタクト６０ａ〜ｋが順番に配置されており、１，２，１０，１１番の４本のコンタクト６０ａ，ｂ，ｊ，ｋがデータ用、３番のコンタクト６０ｃがコマンド用、４，９番の２本のコンタクト６０ｄ，ｉがグランド用、５，６番の２本のコンタクト６０ｅ，ｆが予備、７番のコンタクト６０ｇが電源用、８番のコンタクト６０ｈがクロック用で、ミニＳＤカード２００のコンタクト２０４ａ〜２０４ｋと同じ配列である。一方、８本のコンタクトバネ片６４ａ〜ｈは、裏面側から見て左から右に１〜８番のコンタクトバネ片６４ａ〜ｈが順番に配置されており、１，２，７，８番の４本のコンタクトバネ片６４ａ，ｂ，ｇ，ｈがデータ用、３番のコンタクトバネ片６４ｃがコマンド用、４番のコンタクトバネ片６４ｄが電源用、５番のコンタクトバネ片６４ｅがクロック用、６番のコンタクトバネ片６４ｆがグランド用である。つまり、マイクロＳＤカード３００のコンタクト３０３ａ〜ｈと同じ配列である。
【００２９】
中間組立て体では、インシュレータ７０が前記ベース１０のインシュレータ収容空間１５に嵌合する矩形板状に形成され、このインシュレータ７０の下面に連続部６３と共に各コンタクト６０ａ〜ｋが左右方向に並べられて面一に埋設されて、８本のコンタクトバネ片６４ａ〜ｈがインシュレータ７０の前側に前上がり傾斜状に突出されている。またインシュレータ７０には、この下面に埋設されている連続部６３の所定箇所を抜き落とすための工具挿入孔７１，７４ａと、前記カバー３０の第２係合爪３５を圧入するためのカバー係合溝７２と、前記カバー３０の折り返し片３６及び接続端子３７を収容して、図８に示したように、接続端子３７の一端を一方の４番のグランド用コンタクト６０ｄに、また他端を他方の９番のグランド用コンタクト６０ｉに上方から接触させるための収容孔７３と、軽量化のための複数の抜き孔７４が形成されている。なお、一つの抜き孔７４ａは工具挿入孔を兼ねている。
【００３０】
そして、中間組立て体を構成した後に、インシュレータ７０の下面に埋設されている連続部６３の所定箇所を工具挿入孔７１，７４ａから抜き落とし、同時にインシュレータ７０の外側における連続部６３の相互連結箇所も抜き落とすことにより、図３，図４，図７（Ａ）（Ｂ）に示したコンタクトセット５０が構成される。このコンタクトセット５０では、８本のコンタクトバネ片６４ａ〜ｈがそれぞれ分離独立した細幅の８本の連続部６３を介して対応する８本のコンタクト６０ａ〜ｃ，６０ｇ〜ｋに連続一体とされている。また残りの４番のグランド用コンタクト６０ｄと５，６番の２本の予備コンタクト６０ｅ，ｆの３本は連続部６３がら切り離された状態とされている。ここで、ミニＳＤカード２００と同様に、４番のグランド用コンタクト６０ｄと７番の電源用コンタクト６０ｇは、他の９本のコンタクト６０ａ〜ｃ、６０ｅ，ｆ、６０ｈ〜ｋに比べて後端位置が後方（アダプタ挿入方向）に突出して位置ずれし、カードコネクタ側のコンタクトに他の９本のコンタクト６０ａ〜ｃ、６０ｅ，ｆ、６０ｈ〜ｋに先立って接触するようになされているため、４，９番の２本のグランド用コンタクト６０ｄ，ｉの後端位置の間には段差（出代の差）が設けられている（図２，図７（Ｂ）参照）。なお、コンタクトセット５０の工具挿入孔７１は樹脂製の栓体７５が圧入されて埋められている（図３，図４参照）。
【００３１】
図３，図４に示したロック部材９０は、薄板金属の板バネからなり、自由端側にカード係合部９１を有している。なお、このロック部材９０は、ベース１０に樹脂で一体形成して設けてもよい。
【００３２】
本実施形態のメモリカード用アダプタ１００を組み立てるに当たっては、ベース１０のインシュレータ収容空間１５にコンタクトセット５０のインシュレータ７０を嵌め込み、ベース１０のコンタクト露出窓１６を通してコンタクトセット５０の１１本のコンタクト６０ａ〜ｋをベース１０の裏面側に露出させると共に、ベース１０のカード収容空間１１の後部にコンタクトセット５０の８本のコンタクトバネ片６４ａ〜ｈを突出させる。つまり、ベース１０に対してコンタクトセット５０を組み込み、またベース１０のロック部材収容空間１７にロック部材９０を組み込み、ロック部材９０の後側をベース１０に対して固定し、ロック部材９０の自由端側（前側）のカード係合部９１を連通口１８を介してカード収容空間１４に突出させる（図３に示した状態）。次いで、ベース１０のカバー係合溝２３にカバー３０の第１係合爪３４を差し込むと共に、インシュレータ７０のカバー係合溝７２にカバー３０の第２係合爪３５を差し込み、またインシュレータ７０の収容孔７３にカバー３０の折り返し片３６及び接続端子３７を嵌め込みながら、ベース１０に対してカバー３０を上方から被着し、ベース１０の前側幅広部分における補強リブ１２及びカード収容空間１４及びロック部材９０が組み込まれたロック部材収容空間１７の上面をカバー３０の主部３１で一体的に覆うと共に、ベース１０のインシュレータ収容空間１５に嵌着されたインシュレータ７０の上面にカバー３０の第２延設部３３を接合させ、インシュレータ７０をベース１０の底板１１とカバー３０の第２延設部３３との間に挟み、またベース１０の前側幅広部分における左右外側面をカバー３０の第１延設部３２で覆うと共に、ベース１０の各カバー係合爪２２をカバー３０の各ベース係合孔３８に嵌め込む。そして最後に、カバー３０の第１延設部３２における各ベース係合孔３８の下縁を内側にかしめ、ベース１０に対してカバー３０を上記被着状態で固定させることで、組み立てが完了する。なお、ベース１０とインシュレータ７０とは、熱、超音波等の溶着又は接着等の方法を用いて接合してもよい。
【００３３】
組み立て完了状態においては、図１，図２に示したように、ミニＳＤカード仕様に対応するミニＳＤカード２００と略同じ外形寸法（縦・横・厚さの各寸法）である。そして、ミニＳＤカード２００と同様に、後側の端部裏面側には１１本のコンタクト６０ａ〜ｋが左右方向に並設されて露出し、後側の一方の角を落として切り欠き部１９が形成され、この切り欠き部１９によって幅が狭められた後側端部における表面側の左右両側縁には上向きの段部２０が設けられ、切り欠き部１９より前側の幅広部分における表面側の左右両側部にはロック用切り欠き２１が設けられて、ミニＳＤカード２００用のカードコネクタに装着することができる。
【００３４】
また、前面にカード挿入口２が開口し、カード挿入口２にはカード収容空間１１が連通し、カード収容空間１１の後部（奥部）には８本のコンタクトバネ片６４ａ〜ｈが左右方向に並設され、マイクロＳＤカード３００が、カード挿入口２からカード収容空間１１に装着することができると共に、装着したマイクロＳＤカード３００の８本のコンタクト３０３ａ〜ｈに８本のコンタクトバネ片６４ａ〜ｈの自由端部を接触させることができる。  
【００３５】
さらに、表面の略全面と左右側面の前半部が金属面で構成され、それ以外の裏面や側面が樹脂面で構成されている。金属面を構成するカバー３０に一体に形成した接続端子３７は、図８に示したように、折り返し片３６と共に内蔵のインシュレータ７０に形成した収容孔７３の内部に配設され、一端が一方の４番のグランド用コンタクト６０ｄに、また他端が他方の９番のグランド用コンタクト６０ｉに上方から自身の弾性によって押し付いて接触している。この接触によって、１１本のコンタクト６０ａ〜ｋのうちの隣接しない２本のグランド用コンタクト６０ｄ，ｉ同士と、グランド用コンタクト６０ｄ，ｉとカバー３０間を電気的に接続している。なお、ベース１０とカバー３０の主部３１及び第１延設部３２との接合面、インシュレータ７０のカバー３０の第２延設部３３との接合面は、その周囲外面よりカバー３０の板厚寸法分凹状に形成され、カバー３０の主部３１及び第１延設部３２の外面とその周囲のベース１０の外面、カバー３０の第２延設部３３とその周囲のインシュレータ７０の外面が面一になるようになっている。
【００３６】
以上のように組み立てられたメモリカード用アダプタ１００にマイクロＳＤカード３００を装着する際には、マイクロＳＤカード３００を前後方向及び表裏方向を正規の方向に向けた正規挿入姿勢でカード挿入口２を通してカード収容空間１４に挿入すると、マイクロＳＤカード３００は、このロック用切り欠き３０２を設けた側部でロック部材９０のカード係合部９１をバネ力に抗して押し退けながらカード収容空間１４の内奥部へと挿入され、マイクロＳＤカード３００の後側の端部裏面側に設けられた８本のコンタクト３０３ａ〜３０３ｈが、カード収容空間１４の後部に並設されている８本のコンタクトバネ片６４ａ〜ｈと接触して電気的に接続される。さらにマイクロＳＤカード３００をカード収容空間１４に挿入すると、マイクロＳＤカード３００の後側の端部が、カード収容空間１４の後端で立設しているインシュレータ７０の前側の側面に突き当たり、それ以上の挿入が規制されると共に、マイクロＳＤカード３００のロック用切り欠き３０２にロック部材９０のカード係合部９１が対向し、バネ力によってカード係合部９１がロック用切り欠き３０２に係合することによって、マイクロＳＤカード３００の脱落が防止される。
【００３７】
メモリカード用アダプタ１００に装着されたマイクロＳＤカード３００を抜き取る際には、マイクロＳＤカード３００の前端部を把持し、ロック部材９０のバネ力に抗してマイクロＳＤカード３００を前方に引き抜くと、マイクロＳＤカード３００のロック用切り欠き３０２とロック部材９０のカード係合部９１との係合が解除されて、マイクロＳＤカード３００をメモリカード用アダプタ１００から容易に抜き取ることができる。
【００３８】
メモリカード用アダプタ１００に装着されたマイクロＳＤカード３００は、この８本のコンタクト３０３ａ〜ｈが対応する８本のコンタクト６０ａ〜ｃ，６０ｇ〜ｋに電気的に接続されているため、当該メモリカード用アダプタ１００をミニＳＤカード２００用のカードコネクタに装着することで、マイクロＳＤカード３００の８本のコンタクト３０３ａ〜ｈが対応する８本のコンタクト６０ａ〜ｃ，６０ｇ〜ｋを介してカードコネクタの対応する８本のコンタクトと電気的に接続される。この結果、マイクロＳＤカード３００がミニＳＤカード２００と同様にミニＳＤカード２００用のカードコネクタで使えるようになる。また１１本のコンタクト６０ａ〜ｋのうちの隣接しない２本のグランド用コンタクト６０ｄ，ｉ同士と、グランド用コンタクト６０ｄ，ｉとカバー３０間を電気的に接続しているので、アダプタ１００内に浮遊グランドとなるグランド用コンタクトをなくすことができると共に、アダプタ１００に静電破壊防止機能を持たせることができる。
【００３９】
以上のように、アダプタ本体１の構成部品の一つである導電性の（金属製の）カバー３０に、弾性変位可能な接続端子３７を一体に形成し、その接続端子３７を複数のグランド用コンタクト６０ｄ，ｉに接触させ、そのグランド用コンタクト６０ｄ，ｉ同士と、グランド用コンタクト６０ｄ，ｉとカバー３０間を電気的に接続したので、アダプタ１００内に浮遊グランドとなるグランド用コンタクトをなくすことができると共に、アダプタ１００に静電破壊防止機能を持たせることができる。しかも、接続端子３７は、それ自体が持つ弾性によってグランド用コンタクト６０ｄ，ｉと接触するので、アダプタ１００の構成部品自体の寸法誤差や組立ての寸法誤差、使用時にアダプタ１００に加えられる外力や熱による変形が生じても、それを吸収しながらグランド用コンタクト６０ｄ，ｉとの接触を自己保持することができて、高い接触信頼性を確保することができる。よって、アダプタ１００の静電破壊防止機能を確実に維持することができる。
【００４０】
またカバー３０に、アダプタ本体１の挿抜方向に沿う外側面に位置する第１延設部３２を一体に形成したことで、アダプタ使用時にアダプタ本体１が上下、左右どのような方向から把持されても、アダプタ本体１のカバー３０部分が把持されることになるので、アダプタ本体１の把持状態に関係なく確実に機能する静電破壊防止機能を持たせることができる。
【００４１】
また、カバー３０に、複数のコンタクト６０ａ〜ｋのアダプタ本体１から露出させる部分と対向する位置に端部を延設する第２延設部３３を一体に形成し、第２延設部３３の端部に折り返し片３６を一体に形成し、その折り返し片３６の端部に接続端子３７を一体に形成し、第２延設部３３の内面側に接続端子３７を設けたことで、接続端子３７は、カバー３０の外側には突出せず、アダプタ組立て時に接続端子３７が折れ損する危険性が少なくなる。また、複数のコンタクト６０ａ〜ｋのアダプタ本体１から露出させる部分には、厚さをあまり薄くすることができない絶縁性の（樹脂製の）カバーではなく、厚さを薄くできる導電性の（金属製の）カバー３０の第２延設部３３が対向し、これらの間に形成される隙間に折り返し片３６を介して接続端子３７が配設されるので、接続端子３７のアダプタ厚さ方向の弾性変位量をより大きくとることができ、それに伴い接続端子３７の弾性（グランド用コンタクト６０ｄ，ｉとの接触圧）もより大きくすることができ、接続端子３７のより高い接触信頼性を確保することができる。さらに、接続端子３７は、カバー３０の第２延設部３３を部分的に切り起し、その第２延設部３３に孔をあけたりすることなく、第２延設部３３の端部に一体に形成した折り返し片３６を介して第２延設部３３の内面側に設けるので、防塵・防水の点でも有効である。
【００４２】
また、接続端子３７を、折り返し片３６の端部から複数のコンタクト６０ａ〜ｋの並設方向に延設形成したことで、接続端子３７の幅方向がコンタクト６０ａ〜ｋの長さ方向に対応し、接続端子３７の幅寸法をコンタクト６０ａ〜ｋの幅寸法より大きくとることができ、また折り返し片３６の幅寸法もコンタクト６０ａ〜ｋの幅寸法より大きくとることができるので、アダプタ組立て時に接続端子３７が折れ損する危険性をより少なくすることができる。また、接続端子３７の幅寸法をコンタクト６０ａ〜ｋの幅寸法より大きくとることができることで、グランド用コンタクト６０ｄ，ｉとの接触面積の拡大に伴い安定確実な接触性を確保することができ、接続端子３７のより高い接触信頼性を確保することができる。
【００４３】
また、複数のコンタクト６０ａ〜ｋを絶縁状態で保持するインシュレータ７０を、第２延設部３３とベース１０との間に挟み、そのインシュレータ７０に形成された収容孔７３の内部に折り返し部３６と接続端子３７を配設したことで、アダプタ使用時にアダプタ本体１に厚さ方向の圧縮荷重が加えられたとしても、インシュレータ７０がスペーサの役目を果たすので、折り返し部３６及び接続端子３７が前記圧縮荷重により押し潰されて塑性変形することはなく、接続端子３７の機能を確実に維持発揮させることができる。
【００４４】
以上、本実施形態は本発明の好適な実施形態の一例を示したが、本発明はそれに限定されることなく、その要旨を逸脱しない範囲内で種々変形実施することができる。例えば、マイクロＳＤカード３００をＳＤカード用のカードコネクタで使えるようにするメモリカード用アダプタ以外の、他の種類のメモリカード用アダプタにも好適に実施することができるものである。
【図面の簡単な説明】
【００４５】
【図１】本実施形態のメモリカード用アダプタを表面側から見た外観図である。
【図２】同アダプタを裏面側から見た外観図である。
【図３】金属カバー取り外し状態の同アダプタを表面側から見た外観図である。
【図４】同アダプタの分解状態の構造図である。
【図５】（Ａ）ベースを表面側から見た外観図、（Ｂ）ベースを裏面側から見た外観図である。
【図６】（Ａ）カバーを表面側から見た外観図、（Ｂ）カバーを裏面側から見た外観図である。
【図７】（Ａ）コンタクトセットを表面側から見た外観図、（Ｂ）コンタクトセットを裏面側から見た外観図、（Ｃ）インサート成形前のコンタクトを表面側から見た外観図である。
【図８】グランド用コンタクト同士と、グランド用コンタクトとカバーとの電気接続構造を示す同アダプタの断面図である。
【図９】（Ａ）ミニＳＤカードの表面図、（Ｂ）ミニＳＤカードの側面図、（ｃ）ミニＳＤカードの裏面図である。
【図１０】（Ａ）マイクロＳＤカードの表面図、（Ｂ）マイクロＳＤカードの側面図、（Ｃ）マイクロＳＤカードの裏面図である。
【符号の説明】
【００４６】
１  アダプタ本体
１０  ベース
３０  カバー
３２  第１延設部
３３  第２延設部
３６  折り返し部
３７  接続端子
６０ａ〜ｋ  コンタクト
７０  インシュレータ
７３  収容孔
１００  メモリカード用アダプタ
２００  ミニＳＤカード（大型のメモリカード）
３００  マイクロＳＤカード（小型メモリカード）
【図１】
2007041935.tif 000003
【図２】
2007041935.tif 000004
【図３】
2007041935.tif 000005
【図４】
2007041935.tif 000006
【図５】
2007041935.tif 000007
【図６】
2007041935.tif 000008
【図７】
2007041935.tif 000009
【図８】
2007041935.tif 000010
【図９】
2007041935.tif 000011
【図１０】
2007041935.tif 000012